(57)【要約】【課題】単純な調整操作で刈り込み高さの調整をすることができる芝刈り機を提供する。【解決手段】本体３に取り付けられ、芝生と接するベース部材６とを備えた芝刈り機１であって、前記本体３に対して前記ベース部材６を固定する凹凸係合部８を備え、前記凹凸係合部８は、前記本体３又は前記ベース部材６のいずれか一方に形成された複数の凹部３３と、いずれか他方に形成された一対の凸部６３とから成り、前記ベース部材６又は前記本体３のいずれか一方には、前記凹凸係合部８の固定を維持する弾性体７を備え、前記本体３は下方前方に第１の当接部３１を備えるとともに、前記第１の当接部３１と前記凹凸係合部８の間に第２の当接部３２を備え、前記ベース部材６は前記第１の当接部３１と当接する第１の支持部６１と、ベース部材６の後方端から上方に傾斜して延び前記本体と対向する面に前記第２の当接部３２と当接する第２の支持部６２を備える。【選択図】図３
2008306967.tif 000002
【特許請求の範囲】
【請求項１】
ブレードを備える本体と、
前記本体に取り付けられ、刈り込み対象と接する摺動面を有するベース部材とを備え、
前記ブレードの面が、前記ベース部材の摺動面に対して略平行方向に配置され、
前記ベース部材の摺動面が、前記ブレードの面に対する略平行状態を維持したまま前記ブレードとの間隔を調整自在とされている芝刈り機であって、
前記本体に対して前記ベース部材を固定する凹凸係合部を備え、
前記凹凸係合部は、前記本体又は前記ベース部材のいずれか一方に形成された複数の凹部と、
前記ベース部材又は前記本体のいずれか他方に形成された一対の凸部とを備え、
前記ベース部材又は前記本体のいずれか一方には、前記本体と前記ベース部材との固定を維持する弾性体を備え、
前記本体は前記本体の下方前方に第１の当接部を備えるとともに、前記第１の当接部と前記凹凸係合部の間に第２の当接部を備え、
前記ベース部材は前記第１の当接部と当接する第１の支持部と、前記摺動面の後方端から上方に傾斜して延びる前記本体と対向する面に前記第２の当接部と当接する第２の支持部を備えること
を特徴とする芝刈り機。
【請求項２】
請求項１に記載の芝刈り機において、
前記ベース部材の後方には、前記本体と前記ベース部材との固定を解除する操作部を備え、
前記操作部の少なくとも一部は前記本体の下端に収納されること
を特徴とする芝刈り機。
【請求項３】
請求項１に記載の芝刈り機において、
前記ベース部材は、前記摺動面の後方端から上方に傾斜して延びる前記操作部を備えているとともに、前記操作部の前記本体と対向する面に前記ベース部材の長手方向に延びる鍔部を備え、
前記本体は、前記ベース部材を取り付けるために長手方向に延びるスライド面を備え、
前記鍔部の下面と前記スライド面の間に前記凹凸係合部を備えること
を特徴とする芝刈り機。
【請求項４】
請求項１乃至３に記載の芝刈り機において、
前記第１の支持部は、階段状の段であること
を特徴とする芝刈り機。
【請求項５】
請求項１乃至４に記載の芝刈り機において、
前記複数の凹部は、底部と、前方に延びる傾斜面と、前記底部から略垂直に延びる面とを備え、
前記一対の凸部は、頂部と、前方に延びる傾斜面と、前記頂部から略垂直に延びる面を備えること
を特徴とする芝刈り機。
【請求項６】
請求項２又は３に記載の芝刈り機において、
前記操作部は、前記本体の後部に形成された把持部の下端に収納されていること
を特徴とする芝刈り機。
【発明の詳細な説明】
【技術分野】
【０００１】
本発明は、芝刈り機に係り、特に、芝の刈り込み高さを調整する機構を備えた芝刈り機に関するものである。
【背景技術】
【０００２】
従来から、地面に生えている芝の刈り込み作業に用いられる芝刈り機が知られている。この種の芝刈り機は、例えば、固定刃と可動刃とを重ねて配置し、可動刃を固定刃に対して横方向に往復運動させることで芝を刈り込むことができるようになっている。また、２枚の可動刃を重ねて配置し、それぞれの可動刃を横方向に、且つ互いの可動刃を逆方向に往復運動させることで芝を刈り込むような芝刈り機も存在する。さらに、固定刃と可動刃とを重ねて配置し、可動刃を回転運動させることで芝を刈り込む芝刈り機も存在する。
【０００３】
そして、上記のような芝刈り機にあっては、所定の高さで芝を刈り込むことを目的として、様々な工夫が施された芝刈り機が存在している。
【０００４】
【特許文献１】特開２００７−４４０３７号公報
【特許文献２】特開２００２−３３５７６１号公報
【０００５】
特許文献１に記載の芝刈り機は、ブレードを備える本体と、本体の下方前方及び後方に配置される２つの本体位置決め部を介して配置されるとともに、刈り込み対象と接する摺動面を備えるスライダと、下方前方又は後方に配置される本体位置決め部のいずれか一方とスライダとを固定することによって、本体のスライダに対する位置決め固定を実現する固定具と、を備える芝刈り機であって、ブレードの面が、スライダの摺動面に対して略平行方向に配置され、且つ、スライダの摺動面に対する略平行状態を維持したままブレードとの間隔を調整自在とされている。
【０００６】
このようにして構成された特許文献１に記載の芝刈り機は、スライダの摺動面がブレードの面と略平行状態を維持したまま、ブレードとスライダの間隔を調整することが可能となっており、これによって、ブレードが上下方向に平行移動し、地面からの芝の刈り込み高さを調整するものである。
【０００７】
特許文献２に記載された芝刈り機は、前方に芝を刈り込む一対の可動刃を備え、後方に使用者が操作するためのハンドル部を備える本体部と、ハンドル部の下方から本体部の前方に至って架け渡し状に取り付けられているガード装置の前方端部を支持する複数の止め部が上下方向に並んで設けられている。ガード装置は、後方端部が本体部の中央より少し後方の下部に固定され、前方端部が上記複数の止め部のうち使用者によって選択される１つの止め部に取り付けられるようになっている。
【０００８】
このようにして構成された特許文献２に記載の芝刈り機は、ガード装置の前方が使用者によって選択される止め部に取り付けられることにより、本体部の角度を変えることが可能となっており、これによって、可動刃が上下方向に傾き、地面からの芝の刈り込み高さを調整するものである。
【発明の開示】
【発明が解決しようとする課題】
【０００９】
しかしながら、特許文献１に記載の芝刈り機においては、高さ調整の際にスライダが固定されているネジ等の固定具の締め付けが必要であり、特許文献２に記載の芝刈り機においては、レバー操作により高さを調整する必要がある。いずれの刈り込み高さの調整の方法についても調整操作が煩雑であるという問題があった。また、特許文献１及び２に記載の芝刈り機においては、固定具或いはレバーが本体から外部に突出して設けられているので、刈り込み作業の邪魔になるという問題があった。
【００１０】
そこで、本発明は上述した問題に鑑みてなされたものであり、刈り込み作業の邪魔にならず、より単純な調整操作で刈り込み高さの調整をすることができ、確実に位置決め固定をすることができる芝刈り機を提供することを目的とする。
【課題を解決するための手段】
【００１１】
以下、本発明について説明する。なお、本発明の理解を容易にするために添付図面の参照番号を括弧書きにて付記するが、それにより本発明が図示の形態に限定されるものではない。
【００１２】
本発明に係る芝刈り機（１）はブレード（２）を備える本体（３）と、前記本体（３）に取り付けられ、刈り込み対象と接する摺動面（６ａ）を有するベース部材（６）とを備え、前記ブレード（２）の面が、前記ベース部材（６）の摺動面に対して略平行方向に配置され、前記ベース部材（６）の摺動面（６ａ）が、前記ブレード（２）の面に対する略平行状態を維持したまま前記ブレード（２）との間隔を調整自在とされている芝刈り機（１）であって、前記本体（３）に対して前記ベース部材（６）を固定する凹凸係合部（８）を備え、前記凹凸係合部（８）は、前記本体（３）又は前記ベース部材（６）のいずれか一方に形成された複数の凹部（３３）と、前記ベース部材（６）又は前記本体（３）のいずれか他方に形成された一対の凸部（６３）とを備え、前記ベース部材（６）又は前記本体（３）のいずれか一方には、前記本体（３）と前記ベース部材（６）との固定を維持する弾性体（７）を備え、前記本体（３）は前記本体（３）の下方前方に第１の当接部（３１）を備えるとともに、前記第１の当接部（３１）と前記凹凸係合部（８）の間に第２の当接部（３２）を備え、前記ベース部材（６）は前記第１の当接部（３１）と当接する第１の支持部（６１）と、前記摺動面（６ａ）の後方端から上方に傾斜して延びる前記本体と対向する面に前記第２の当接部（３２）と当接する第２の支持部（６２）を備えることを特徴とする。
【００１３】
また、本発明に係る芝刈り機（１）において、前記ベース部材（６）の後方には、前記本体（３）と前記ベース部材（６）との固定を解除する操作部（６ｃ）を備え、前記操作部（６ｃ）の少なくとも一部は前記本体（３）の下端に収納されることができる。
【００１４】
また、本発明に係る芝刈り機（１）において、前記ベース部材（６）は、前記摺動面（６ｃ）の後方端から上方に傾斜して延びる前記操作部（６ｃ）を備えているとともに、前記操作部（６ｃ）の前記本体（３）と対向する面に前記ベース部材（６）の長手方向に延びる鍔部（６５）を備え、前記本体（３）は、前記ベース部材（６）を取り付けるために長手方向に延びるスライド面（３５）を備え、前記鍔部（６５）の下面（６５ｂ）と前記スライド面（３５）の間に前記凹凸係合部（８）を備えることができる。
【００１５】
また、本発明に係る芝刈り機（１）において、前記第１の支持部（６１）は、階段状の段であることができる。
【００１６】
また、本発明に係る芝刈り機（１）において、前記複数の凹部（３３）は、底部（３３ａ）と、前方に延びる傾斜面（３３ｂ）と、前記底部（３３ａ）から略垂直に延びる面（３３ｃ）とを備え、前記一対の凸部（６３）は、頂部（６３ａ）と、前方に延びる傾斜面（６３ｂ）と、前記頂部（６３）から略垂直に延びる面（６３ｃ）を備えることができる。
【００１７】
また、本発明に係る芝刈り機（１）において、前記操作部（６ｃ）は、前記本体（３）の後部に形成された把持部（４）の下端に収納されていることができる。
【発明の効果】
【００１８】
本発明に係る芝刈り機は、弾性体により固定を維持された本体とベース部材の凹凸係合を弾性体の付勢力に抗して解除し、凹凸係合位置を変えるだけで、容易にベース部材に対する本体の高さ調整を行うことができ、本体の位置決め及び固定を行えるようにしたので、簡単な操作で刈り込み高さの調整ができ、片手でも刈り込み高さの調整を行うことができる。また、刈り込み高さの調整を行う操作部が本体に収納されていることにより、外部に突出することがなく、使用者の手や周囲の物に干渉することがなくなり、刈り込み作業時の邪魔になることがない。
【００１９】
また、本発明に係る芝刈り機は、芝刈り作業中に本体を地面方向に押し付けると、ベース部材はその荷重を第１の支持部と第２の支持部で支える。第２の支持部で支えられる地面方向に押し付けられた力の反力には、ベース部材を本体後方へ動かそうとする分力が発生する。この力は凹凸係合を強める方向に作用するため、この機構によれば、本体を地面に押し付ける力が大きいほど、ベース部材を位置決めするための固定力が強くなる。
【００２０】
また、本発明に係る芝刈り機は、凹凸係合部を構成する凹部及び凸部の一端から延びる面が傾斜面を有しているので、本体とベース部材の凹凸係合を解除し係合位置を変える際に、凹部と凸部が互いに干渉することを防止でき、円滑な調整操作を行うことができる。
【００２１】
一方、凹凸係合部を構成する凹部及び凸部の他端から延びる面が略垂直な面として構成されているので、凹凸係合部の確実な固定をすることができる。
【発明を実施するための最良の形態】
【００２２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２３】
［第１の実施形態］
図１は、第１の実施形態に係る芝刈り機の全体構造を示す正面図であり、図２は、芝刈り機の一部断面を示す平面図であり、図３は、図２におけるＡ−Ａ断面及びＢ−Ｂ断面を示す一部断面正面図であり、図４は、芝刈り機の本体とベース部材の組み付け状態を示す図３におけるＣ−Ｃ断面図であり、図５は、芝刈り機の本体とベース部材の組み付け前の状態を示す一部断面正面図であり、図６は、芝刈り機の本体とベース部材の組み付け状態を示す一部断面図であり、図７は、高さ調整時のベース部材の押圧状態を示す一部断面正面図であり、図８は、芝刈り機の高さ調整を示す動作図であり、図９は、第２の実施形態に係る芝刈り機のベース部材を示す一部断面正面図である。なお、説明し易いように、図１乃至図３では右側を前方、左側を後方として説明する。なお、以下の説明において、本体の内部構造については一般的な電動式の芝刈り機と同様であるので、簡単に説明をするものとする。
【００２４】
第１の実施形態に係る芝刈り機１は、使用者が片手で持って地面に生えた芝を一定の高さに刈り込み可能なものである。また、芝の刈り込み高さを調整することができ、且つ、その調整作業を容易に行うことができるものである。
【００２５】
図１に示すように、第１の実施形態に係る芝刈り機１は、芝を刈り込むブレード２を下方前方に突出させて備えている本体３と、本体３の下方に配置され、地面Ｇに生えている芝生上を摺動するベース部材６とを備え、前記ベース部材６は前記本体３を支持するとともに、図８に示すように前記ブレード２の面を地面Ｇに対して略垂直方向に移動させて地面Ｇからのブレード２の高さＴを調整し、前記本体３と前記ベース部材６の位置を刈刃高さα（低）、刈刃高さβ（中）及び刈刃高さγ（高）のいずれかの位置に固定することができる。
【００２６】
本体３は、左右二つ割り片を突き合わせて形成されるハウジング３ａを有している。ハウジング３ａの前方には、図示しない駆動部から発生する熱を本体３外部に排出する排出孔３ｂが形成されている。また、ハウジング３ａの後部は、使用者が本体３を把持するための略Ｄ字形の把持部４が形成されている。ハウジング３ａの内部には、ブレード２を駆動するモータ等の図示しない駆動部が内蔵されている。さらに、把持部４の内周前方には、トリガー５が設けられている。このトリガー５は、駆動部を駆動するためのスイッチとして機能する。使用者によってこのトリガー５が押圧されることにより、駆動部が起動し、ブレード２が作動するようになっている。
【００２７】
ここで図２に示すように、ブレード２は上刃２ａと下刃２ｂにより構成されており、上刃２ａと下刃２ｂの先端側には複数の刈刃が形成されている。このようにして、上刃２ａと下刃２ｂが互いの面に沿って揺動することにより、芝が両刃の刈刃間に挟まれて切断される。また、上刃２ａ及び下刃２ｂには、幅広タイプのものが使用されており、本体３の幅よりも広くなっている。
【００２８】
このようにして使用者は、把持部４を片手で持ってトリガー５を操作し、芝刈り機１を地面Ｇに生えている芝生上でスライド移動させることにより、地面Ｇに生えている芝を容易に刈り取ることが可能となっている。
【００２９】
図２及び図３に示すように、ハウジング３ａの下方前方には、ハウジング３ａの左右両側に一対の第１の当接部３１が形成される。また、ハウジング３ａの下方略中央には、本体３の左右に延びる第２の当接部３２が形成されている。
【００３０】
また、図３乃至図５に示すように、略Ｄ字形状の把持部４の下部には、ベース部材６を組み付けるために後方上方に向かって傾斜し、長手方向に延びる溝状の収納凹部４ａが形成されている。ここで、前記収納凹部４ａは地面に対し、角度θの傾斜角で傾斜しており、角度θは少なくとも４５度未満、望ましくは２５度である。また、この収納凹部４ａの左右両側には前後方向に延びるスライド面３５が形成されており、このスライド面３５は、前記収納凹部４ａと同様に角度θの傾斜角で傾斜している。また、スライド面３５の上面には、それぞれ３つの凹部３３が形成されている。
【００３１】
図１乃至図５に示すようにベース部材６には、その下端に地面Ｇに生えている芝生上を摺動するための摺動面６ａが形成されている。また、ベース部材６の前方には前記ブレード２により刈り込まれた芝生を捕集する背板部６ｄ及び底板部６ｅからなるチップレシーバー部６ｂと、前記第１の当接部３１と当接する階段状の第１の支持部６１が形成されている。さらに、ベース部材６には前記摺動面６ａの後方端から上方に向けて傾斜して延びる操作部６ｃが形成されている。この操作部６ｃは断面が略Ｕ字形状に形成され、その上部には左右に突出する一対の鍔部６５を形成している。ここで、前記操作部６ｃは地面に対し、角度θの傾斜角で傾斜しており、角度θは少なくとも４５度未満、望ましくは２５度である。また、前記鍔部６５は、前記操作部６ｃの長手方向全長にわたって形成されており、前記操作部６ｃと同様に角度θの傾斜角で傾斜している。前記一対の鍔部６５の各下面６５ｂには、それぞれ単一の凸部６３が一対形成されている。また、前記鍔部６５の上面６５ａの下方は前記第２の当接部３２と当接する第２の支持部６２として形成されている。
【００３２】
次に図３乃至図６を参照して本体３とベース部材６の取り付け方法について説明する。
【００３３】
図４及び図５に示すように本体３とベース部材６の取り付けは、前記鍔部６５が、前記収納凹部４ａに摺動可能に挿入され、前記鍔部６５が前記収納凹部４ａのスライド面３５に当接することにより取り付けられる。また、図３に示すように、３つの凹部３３のうちの任意の１つと前記凸部６３が凹凸係合することにより、凹凸係合部８を形成し、本体３とベース部材６の位置決めがなされる。また、本体３には鍔部６５に対向する位置に弾性体としてのコイルバネ７が設けられている。このコイルバネ７の先端には、ベース部材６の鍔部６５に当接するベース固定用部材７ａが設けられている。このベース固定用部材７ａを介してベース部材６の鍔部６５を本体３のスライド面３５に付勢することで、本体３とベース部材６の凹凸係合を確実なものとし、本体３とベース部材６の固定を維持する。
【００３４】
図３に示すように、本体３の前方の位置決めは、凹凸係合された凹部３３に対応する前記第１の支持部６１のうちの所定の段と前記第１の当接部３１とが当接することによって行われる。
【００３５】
またこのとき、本体３が備える前記第２の当接部３２は、ベース部材６が備える前記第２の支持部６２と当接する。
【００３６】
したがって、本体３はベース部材６の前記第１の支持部６１と前記第２の支持部６２により支持され、ベース部材６に対する本体３の高さ方向の位置が決定される。
【００３７】
ここで、図３に示されるように、第２の支持部６２はベース部材６の略中央から後方に延びる傾斜した鍔部６５の上面６５ａに設けられているため、使用者が芝刈り機１を地面Ｇと垂直方向に押し付けて作業をする際に、押付力に対する反力に鍔部６５に沿う方向の分力が生じる。この鍔部６５に沿う方向の分力はベース部材６を本体３の後方上方へ移動させる方向に作用するため、前記凸部６３の後方面を前記凹部３３の後方面に押圧する力として作用する。かくして、この分力は凹凸係合をさらに強固に固定するように作用するため、第１の実施形態の芝刈り機１は、本体３をベース部材６に押し付ければ押し付けるほど、より強固に本体３とベース部材６とが固定されることとなり、凹凸係合が不用意に解除されることがない。なお、図５に示すように、前記凹部３３の後方面は底部３３ａから略垂直（７５°乃至９０°）に延びる面３３ｃとして形成されており、前記凸部６３の後方面は頂部６３ａから略垂直（７５°乃至９０°）に延びる面６３ｃとして形成されている。これらの面３３ｃ、６３ｃが互いに当接することにより、前記鍔部６５に沿う方向の分力を効果的に凹凸係合部の固定に利用することができ、より確実な本体３とベース部材６の固定を実現することができる。
【００３８】
図６に示すように、前記凹部３３と前記凸部６３が凹凸係合をした状態において、凹部３３の底部３３ａと凸部６３の頂部６３ａの間には間隙８ａが設けられている。この間隙８ａは芝の刈り込みにより生じた塵埃等を凹凸係合部８に介入させずに間隙８ａに捕集することができる。この結果、凹凸係合の固定及び解除の作動を円滑に行うことができる。
【００３９】
次に、図７を参照してベース部材６に対する本体３の高さ調整の方法について説明する。
【００４０】
図７に示すように、凹凸係合の解除は、ベース部材６に設けられた操作部６ｃを弾性体７の付勢力に対向して本体３の収納凹部４ａの内（矢印方向Ｆ）に向けて押圧し、前記凸部６３と前記凹部３３の係合を解除するとともに、ベース部材６の前方を下方に下げることで、第１の当接部３１と第１の支持部６１との当接を解除することにより行う。次に、ベース部材６の操作部６ｃを矢印方向Ｆに押圧したままベース部材６の鍔部６５の下面６５ｂを本体３に設けられた収納凹部４ａに形成したスライド面３５に沿って摺動させることで、凸部６３を別の凹部３３まで移動させる。その後、ベース部材６から手を離すと、コイルバネ７の付勢力によりベース固定用部材７ａを介して、ベース部材６の凸部６３が本体３の凹部３３に付勢され、凹凸係合が確実に且つ強固に固定されることとなる。
【００４１】
また、本体３の前方の位置決めについては、ベース部材６は合成樹脂材等からなる剛体であるため、後方の位置が凹凸係合により固定されると、摺動面６ａはブレード２の面と略平行な位置に復帰するため、第１の当接部３１は、前記凹凸係合した凹部３３に対応する第１の支持部６１の所定の段に当接することができる。
【００４２】
なお、第１の当接部３１と当接する階段状の第１の支持部６１の段の段差と凹凸係合部８を構成する複数の凹部３３のそれぞれの段差は、同じ高さとなるように形成されており、本体３を凹凸係合により位置決めするときに、地面Ｇに対して略垂直方向に本体３の高さを調整できるようになっている。
【００４３】
なお、前記凹部３３と前記凸部６３の前方面にはそれぞれ前方方向へ傾く傾斜面３３ｂ、６３ｂが形成されている。この傾斜面３３ｂ、６３ｂは、凹凸係合の解除後にベース部材６を摺動させる際に、凹部３３と凸部６３が相互に干渉することを防止することができ、より円滑に調整操作をすることができる。
【００４４】
このように、第１の実施形態に係る芝刈り機１は、ベース部材６の操作部６ｃを本体３の収納凹部４ａの内に向けて押圧し、本体３とベース部材６の凹凸係合を解除するだけで、地面Ｇとブレード２の面との間の略平行状態を維持しながら、ブレード２と地面Ｇの距離を調整することができ、刈り込み高さＴを容易に調整することが可能となっている。
【００４５】
続いて、第１の実施形態に係る芝刈り機１の動作について詳述する。
【００４６】
第１の実施形態に係る芝刈り機１は、使用者が片手で把持部４を把持しつつトリガー５を押圧し、駆動部を駆動してブレード２を作動させるとともに、本体３を下方に押し付けながら前方に本体３を移動させてベース部材６を芝生上に摺動させることにより、芝を一定の高さで刈り込むことが可能となっている。
【００４７】
また、第１の実施形態に係る芝刈り機１は、本体３とベース部材６の凹凸係合を解除するだけで容易に本体３の高さ調整を行い、本体３の位置決めを行えるようにしたので、刈り込み高さＴの調整作業が容易である。
【００４８】
［第２の実施形態］
以上説明した第１の実施形態に係る芝刈り機１では、前方の位置決めについては、本体３の第１の当接部３１がベース部材６に階段状に形成された第１の支持部６１と当接することで、前方の位置決めをおこなっている場合について説明した。次に説明する第２の実施形態の芝刈り機１は、第１の実施形態とは異なる形態を有する第１の支持部６１１の実施例について説明を行うものである。なお、上述した第１の実施形態の場合と同一又は類似する部材については、同一符号を付して説明を省略する。
【００４９】
図９は、第２の実施形態に係る芝刈り機１の前方の位置決め状態を示す部分拡大図である。
【００５０】
第２の実施形態に係る芝刈り機１は、ベース部材６に形成された第１の支持部６１１が複数の窪みによって形成されている。第１の当接部３１は、位置決めの際にこの窪みに嵌り込むこととなり、前方の位置決めを行った後に、ベース部材６が前後左右方向に移動することを規制することができる。この結果、凹凸係合部８による固定に加えて、より確実な前方の位置決めを行うことができる。
【００５１】
以上、本発明の好適な実施形態について説明したが、本発明の技術的範囲は上記各実施形態に記載の範囲には限定されない。例えば、第１の実施形態で説明したブレード２は、一対の可動刃（上刃２ａ及び下刃２ｂ）を備えているが、下刃２ｂを固定し、上刃２ａのみが下刃２ｂの上面を揺動するようにしても構わない。
【００５２】
また、本発明の第１の実施形態に係る芝刈り機１において、本体３に一対の単一の凸部６３を形成し、ベース部材６に複数の凹部３３を形成しても構わない。
【００５３】
さらにまた、本発明の実施形態に係る芝刈り機１において、把持部４は、本体３に別部材として取り付けられるハンドルとしても構わないし、略Ｃ字形状でも構わない。
【００５４】
さらにまた、本発明の第１の実施形態に係る芝刈り機１において、コイルバネ７はベース部材６に配置しても構わないし、コイルバネ７はゴムでも構わない。その様な変更又は改良を加えた形態も本発明の技術的範囲に含まれうることが、特許請求の範囲の記載から明らかである。
【図面の簡単な説明】
【００５５】
【図１】第１の実施形態に係る芝刈り機の全体構造を示す正面図である。
【図２】芝刈り機の一部断面を示す平面図である。
【図３】図２のＡ−Ａ断面図及びＢ−Ｂ断面正面図である。
【図４】芝刈り機の本体とベース部材の組み付け状態を示す断面図である。
【図５】芝刈り機の本体とベース部材の組み付け前の状態を示す一部断面正面図である。
【図６】芝刈り機の本体とベース部材の組み付け状態を示す一部断面図である。
【図７】高さ調整時のベース部材の押圧状態を示す一部断面正面図である。
【図８】芝刈り機の高さ調整を示す動作図である。
【図９】第２の実施形態に係る芝刈り機のベース部材を示す一部断面正面図である。
【符号の説明】
【００５６】
１            芝刈り機
２            ブレード
３            本体
３ａ          ハウジング
４            把持部
６            ベース部材
６ａ          摺動面
７            コイルバネ（弾性体）
８            凹凸係合部
３１          第１の当接部
３２          第２の当接部
３３          凹部
３５          スライド面
６１、６１１  第１の支持部
６２          第２の支持部
６３          凸部
６５          鍔部
Ｆ            押圧方向
【図１】
2008306967.tif 000003
【図２】
2008306967.tif 000004
【図３】
2008306967.tif 000005
【図４】
2008306967.tif 000006
【図５】
2008306967.tif 000007
【図６】
2008306967.tif 000008
【図７】
2008306967.tif 000009
【図８】
2008306967.tif 000010
【図９】
2008306967.tif 000011